(57)【特許請求の範囲】
【請求項１】
四方に枠を残して形成した開口部を有する上面、該上面開口部を形成した対向する枠に連続して折り曲げ形成した所定の高さと厚さを有する脚体、該脚体の上面側端部に形成した切欠部及びフィルム保持手段を介して該切欠部に着脱自在に装着された可撓性を有する無端帯状フィルムとより構成した物品保持構造において、
脚体は所定の高さで紙片を折り曲げ且つ折り返すことにより所定の高さと厚さとを形成し、
フィルム保持手段は、無端帯状フィルム間に両端部を該フィルムより突出させた状態で棒状体を対向配設した構造とし、該棒状体の突出部を、該脚体の上記切欠部に係止させることにより該無端帯状フィルムを引張させた状態で該開口部を塞ぐようにして上面の表面側に配置し、該無端帯状フィルム間を物品を保持する箇所としてなることを特徴とする物品保持構造。
【請求項２】
可撓性を有する無端帯状フィルムを支持する棒状体を１８０°回転させることにより該無端帯状フィルムを捩じった状態で物品を保持し該棒状体を切欠部に係止してなることを特徴とする請求項１に記載の物品保持構造。
【発明の詳細な説明】
【０００１】
【産業上の利用分野】
本発明は、固形状物品（液体を包装したものも含む）をフィルム間に挟持して包装できるようにした物品保持構造に関する。
【０００２】
【従来の技術】
取扱時あるいは運搬時などにおける外部からの衝撃に対し比較的傷付き易い商品は、包装容器内においてガタ付くことにより傷付くことがないように収納している。例えば、発泡スチロール等のプラスチック成形体、紙製成形体から成る緩衝用部材の採用、上記緩衝用部材を被包装物品の輪郭に合わせて成形した型を利用して包装する手段、あるいは発泡緩衝シート、チップ等と共に収納し、その上から更に硬質の外側容器によって包装する手段等のようにして収納している。
【０００３】
そこで、具体的例として第１窓孔を有する第１基台と、その第１窓孔を覆って第１基台表面に固着された可撓性を有する第１フィルムと、上記第１窓孔に対応する第２窓孔を有する第２基台と、その第２窓孔を覆って第２基台表面に固着された可撓性を有する第２フィルムとからなって、第１基台と第２基台とを対向して保持し、第１フィルムと第２フィルムとの間に物品を保持してなる物品保持構造が知られている。
しかし、この構造では、フィルム間に挟圧した物品の反力によって第１基台と第２基台とが離反しようとし、それを拘束するために該第１基台と第２基台とを連接して１つの箱とし、箱を閉じた状態で掛止める等をする必要があった。
【０００４】
【発明が解決しようとする課題】
本発明は上記課題を解決するためになされたもので、箱等を閉じなくてもフィルム間に物品を強固に保持できるものを提供することを目的とする。
【０００５】
【課題を解決するための手段】
前記目的を達成するために、本発明の物品保持構造では、請求項１の発明では、四方に枠を残して形成した開口部を有する上面、該上面開口部を形成した対向する枠に連続して折り曲げ形成した所定の高さと厚さを有する脚体、該脚体の上面側端部に形成した切欠部及びフィルム保持手段を介して該切欠部に着脱自在に装着された可撓性を有する無端帯状フィルムとより構成した物品保持構造において、
脚体は所定の高さで紙片を折り曲げ且つ折り返すことにより所定の高さと厚さとを形成し、
フィルム保持手段は、無端帯状フィルム間に両端部を該フィルムより突出させた状態で棒状体を対向配設した構造とし、該棒状体の突出部を、該脚体の上記切欠部に係止させることにより該無端帯状フィルムを引張させた状態で該開口部を塞ぐようにして上面の表面側に配置し、該無端帯状フィルム間を物品を保持する箇所としてなる物品保持構造を特徴としている。
【０００６】
また請求項２の発明では、可撓性を有する無端帯状フィルムを支持する棒状体を１８０°回転させることにより該無端帯状フィルムを捩じった状態で物品を保持し該棒状体を切欠部に係止してなる物品保持構造を特徴とする。
【０００７】
【実施例】
以下、本発明の物品保持構造の実施例について図面を参照して説明する。
図１から図７に示す第１実施例の物品保持構造は、種々な形状の容器１内に収納される中仕切体２として形成され、その物品保持機能としての中仕切体２は、図２に示すように段ボール等の紙片より成り、上面に四方の枠３を残して開口部４を形成し、該上面の対向する枠３を折り曲げて所定の高さを確保するための脚体５、５′が該上面に連続して構成され、上記開口部４を構成する上面の両端部側下方で脚体５、５′の上端部にフィルム保持手段により着脱自在に係止することにより可撓性を有するフィルム６を取り付け、該フィルム６は該開口部４を上面の表面側から塞ぐようにしている。
【０００８】
上記中仕切体２は、一枚の紙片を折り曲げ且つ折り返して形成し、脚体５、５′部分は補強のため所定の厚さを確保する段ボール等の紙片を内側に挿入形成している。可撓性フィルム６は厚さ０．０２〜０．５ｍｍ程度の軟質フィルムが使用され、フィルム間の両端部に配設されるフィルム保持手段としての木製の丸棒７、７′を介し上記開口部４を塞ぐ巾広の無端帯状のものが形成される。従って、装着する前にあっては無端帯状の可撓性フィルム６の上部と下部との間には丸棒７、７′の直径に相当する間隙８が生じることになる。上記丸棒７、７′の両端部は可撓性フィルム６より突出する長さとし、係止部９、９′、１０、１０′を形成している。上記両係止部９、９′、１０、１０′は脚体５、５′の上端部に形成した固定手段としての切欠部１１、１１′に着脱自在に係止され、その係止により可撓性フィルム６を引張状態にして装着させることになる。
【０００９】
上記丸棒７、７′間の可撓性フィルム６の間隙８には、所定の物品１２が配設される。上記可撓性フィルム６の弾性力により物品１２が強固に保持されることになる。図５に示したのは可撓性フィルム６の間隙８に単純に物品１２を配設したものであるが、図６のものはより強固に保持させるために上記可撓性フィルム６を一回捩じった状態のものを示している。丸棒の配設位置において該丸棒を１８０°回転することにより可撓性フィルム６が捩じられた状態となる。やや小さめの物品１２を保持する場合、捩じることにより可撓性フィルム６の保持力が増加するとともに物品が囲繞されることになり物品が所定の位置からずれることがない。
【００１０】
上記間隙８に物品１２が配設された状態で、丸棒７、７′を切欠部１１、１１′に係止させることにより、可撓性フィルム６は引張され物品１２は強固に固定されることになる。
【００１１】
上記物品１２が固定された状態で物品保持構造としての中仕切体２を容器１内に配設することにより取扱時あるいは運搬時などにおける外部からの衝撃に対し物品がガタつくことなく開口部４の位置に収納されることになる。
【００１２】
上記で採用した容器１、中仕切体２等はダンボール等を含む紙製成形体より成るので、安価なばかりでなく、使用後は地球環境に良好な廃棄物となる。
また上記可撓性フィルム６を保持するフィルム保持手段として丸棒７、７′を採用したが、丸棒に限定することなく、断面形状がダ円型、四角形、六角形、八角形等の様々な形状のものが採用される。更に、そのフィルム保持手段を係止する固定手段としての切欠部１１、１１′の形状は、上記フィルム保持手段に合わせるように形成されている。
図８のものは包装容器内に中仕切体２を上下に連ねて配設したもので、効率良く物品を保持することができる。
【００１３】
【発明の効果】
以上詳述したように、本発明の物品保持構造によれば、簡単な構成で可撓性フィルムを用いて容易に物品を強固に保持することが可能となった。
また、可撓性フィルムを捩って物品を保持することも可能となった。
更に、物品保持構造としての中仕切体が別体として容器と分離できること、また、可撓性フィルムも中仕切体より分離できるので、必要に応じて中仕切体、可撓性フィルム等を反復使用することも可能となった。
【図面の簡単な説明】
【図１】  本発明の物品保持構造となる中仕切体を収納した容器の斜視図。
【図２】  本発明の物品保持構造の斜視図。
【図３】  可撓性フィルムの斜視図。
【図４】  本発明の物品保持構造の可撓性フィルムを装着する前の状態の脚体部分の図２におけるＡ−Ａ線の断面図。
【図５】  可撓性フィルムが物品を挟持している状態の断面図。
【図６】  可撓性フィルムを捩じって物品を保持している状態の断面図。
【図７】  本発明の物品保持構造となる中仕切体が物品を保持した状態で容器に収納されている状態の概略断面図。
【図８】  本発明の物品保持構造となる中仕切体が物品を保持した状態で容器に収納されている状態の他の実施例の概略断面図。
【符号の説明】
２          中仕切体
５、５′    脚体
６          可撓性フィルム
７、７′    丸棒
【図１】
0003742185.tif 000002
【図２】
0003742185.tif 000003
【図３】
0003742185.tif 000004
【図４】
0003742185.tif 000005
【図５】
0003742185.tif 000006
【図６】
0003742185.tif 000007
【図７】
0003742185.tif 000008
【図８】
0003742185.tif 000009